(57)【要約】  ディスプレイと、ディスプレイとは異なる少なくとも１つの発光デバイスと、ディスプレイ上の画像の表示を制御する手段と、画像に依存する主要な色値を決定する手段と、主要な色値を色制御信号に変換する手段と、色制御信号に応じて、携帯用電子装置の外装部の少なくとも一部から着色光を発するため、少なくとも１つの発光デバイスを制御する手段とを含む、外装を有する携帯用電子装置。【選択図】図３
2008501270.tif 000002
【特許請求の範囲】
【請求項１】
外装を有する携帯用電子装置であって、
ディスプレイと、
前記ディスプレイとは異なる少なくとも１つの発光デバイスと、
前記ディスプレイ上の画像の表示を制御する手段と、
前記画像に依存する主要な色値を決定する手段と、
前記主要な色値を色制御信号に変換する手段と、
前記色制御信号に応じて、前記携帯用電子装置の前記外装部の少なくとも一部から着色光を発するため、前記少なくとも１つの発光デバイスを制御する手段と、
を含む携帯用電子装置。
【請求項２】
前記ディスプレイが複数のピクセルを含み、前記ディスプレイ上の画像の表示を制御する前記手段が複数のピクセルの各々について色を指定するピクセル制御データを使用し、前記主要な色値を決定する手段が前記ピクセル制御データを処理する、請求項１に記載の携帯用電子装置。
【請求項３】
前記画像が際立つ色を含み、前記主要な色値が前記際立つ色を識別する、請求項１に記載の携帯用電子装置。
【請求項４】
前記際立つ色が優勢色である、請求項３に記載の携帯用電子装置。
【請求項５】
前記画像に優勢色を含み、前記主要な色値が前記優勢色と対照的である色を識別する、請求項１に記載の携帯用電子装置。
【請求項６】
前記画像が前記ディスプレイ用の背景である、請求項１に記載の携帯用電子装置。
【請求項７】
前記画像がユーザにより選択可能な、請求項１に記載の携帯用電子装置。
【請求項８】
前記決定された主要な色値を色制御信号に変換するための前記手段が、前記決定された色値を赤色制御信号、緑色制御信号、および青色制御信号に変換する、請求項１に記載の携帯用電子装置。
【請求項９】
主要な色値の前記赤色制御信号への前記変換が、赤色光の発光に使用される前記発光デバイスの特性に依存し、主要な色値の前記緑色制御信号への前記変換が、緑色光の発光に使用される前記発光デバイスの特性に依存し、主要な色値の前記青色制御信号への前記変換が、青色光の発光に使用される前記発光デバイスの特性に依存する、請求項８に記載の携帯用電子装置。
【請求項１０】
前記決定された主要な色値を色制御信号に変換するための前記手段が、前記少なくとも１つの発光デバイスに依存した較正データを使用する、請求項１に記載の携帯用電子装置。
【請求項１１】
前記少なくとも１つの発光デバイスを制御する前記手段が、前記携帯用電子装置の状態が変化した時に、前記少なくとも１つの発光デバイスへ前記色制御信号を提供する、請求項１に記載の携帯用電子装置。
【請求項１２】
前記携帯用電子装置が、着信しても呼び出しに応じない場合に変化する状態を有する無線携帯電話である、請求項１１に記載の携帯用電子装置。
【請求項１３】
照明される前記携帯用電子装置の前記外装の前記一部が、キーパッドを備える、請求項１に記載の携帯用電子装置。
【請求項１４】
前記少なくとも１つの発光デバイスが、赤色ＬＥＤ、緑色ＬＥＤ、および青色ＬＥＤを含んだＲＧＢ  ＬＥＤデバイスを備える、請求項１に記載の携帯用電子装置。
【請求項１５】
直列に接続された複数のＬＥＤ、および前記直列に接続された複数のＬＥＤを介して電流を制御する電流制御デバイスを備えた、請求項１に記載の携帯用電子装置。
【請求項１６】
携帯電話として動作可能な、請求項１に記載の携帯用電子装置。
【請求項１７】
携帯用電子装置の外観を制御する方法であって、
前記携帯用電子装置のディスプレイに第１の画像を表示する工程と、
前記画像に依存する主要な色値を決定する工程と、
前記主要な色値を色制御信号に変換する工程と、
前記色制御信号を用いて、前記装置の少なくとも一部から着色光を発するため、少なくとも１つの発光デバイスを制御する工程と、
を含む方法。
【請求項１８】
外装を有する無線携帯電話であって、
ディスプレイと、
前記ディスプレイとは異なる少なくとも１つの発光デバイスと、
前記無線携帯電話の前記外装の少なくとも一部から主要な色の光を発することによってユーザに着信を知らせる手段と、
ユーザが前記主要な色を変更することを可能とする手段と、
を含む無線携帯電話。
【請求項１９】
前記ユーザが前記主要な色を選択する、請求項１８に記載の無線携帯電話。
【請求項２０】
ユーザに着信を知らせる前記手段が第１の画像を用いて前記ディスプレイを照明することもでき、ユーザが前記主要な色を変更することを可能とする前記手段に前記第１の画像を変更する手段を含み、前記主要な色は前記第１の画像に依存する、請求項１８に記載の無線携帯電話。
【請求項２１】
外装を有する携帯用電子装置であって、
ディスプレイと、
前記ディスプレイとは異なる少なくとも１つの発光デバイスと、
主要な色値を入力するためのユーザ入力デバイスと、
前記主要な色値を色制御信号に変換する手段と、
前記色制御信号を用いて、前記携帯用電子装置の前記外装部の少なくとも一部から着色光を発するため、前記少なくとも１つの発光デバイスを制御する手段と、
を含む携帯用電子装置。
【請求項２２】
前記主要な色値に基づいて前記ディスプレイに表示される前記画像を決定する手段をさらに含む、請求項２１に記載の携帯用電子装置。
【請求項２３】
表示される前記画像を決定する前記手段が、前記主要な色値と一致する際立つ色を有する表示用の画像を識別する、請求項２２に記載の携帯用電子装置。
【請求項２４】
携帯用電子装置の外観を制御する方法であって、
ユーザが色値を入力する工程と、
前記装置の少なくとも一部から前記入力された色値に対応する着色光を発するため、前記装置が前記色値を色制御信号に変換して、いかなるディスプレイとは異なる少なくとも1つの発光デバイスを前記色制御信号を用いて制御する工程と、
を含む方法。
【発明の詳細な説明】
【技術分野】
【０００１】
本発明は、携帯用電子装置の外観の制御に関する。
【背景技術】
【０００２】
携帯用電子装置の外観を重要視するユーザもいる。これにより、変更可能な外観を有する携帯電話および携帯情報端末が製造されている。例として、ユーザによって取り替えることのできるフロント・カバーなどが挙げられよう。
【０００３】
このような携帯用装置は、今日に至る以前は、一般的に白黒のディスプレイであった。というのは、カラー・ディスプレイは非常に高価であり、電力消費が非常に大きかったからである。しかし、現在では携帯用電子装置にカラー・ディスプレイが搭載されることは、以前と比べ一般的なこととなっている。
【０００４】
そのようなディスプレイに表示された画像は、その装置の全体的な外観の中でも、印象的な部分であろう。
【０００５】
ディスプレイに表示された画像が変わる際に、容易に変更できるような応用性のある外観を有する携帯用装置を提供することが望まれる。
【発明の開示】
【課題を解決するための手段】
【０００６】
本発明の一実施形態によれば、ディスプレイと、ディスプレイとは異なる少なくとも１つの発光デバイスと、ディスプレイ上の画像の表示を制御する手段と、画像に依存する主要な色値を決定する手段と、主要な色値（ｆｉｒｓｔ  ｃｏｌｏｒ  ｖａｌｕｅ）を色制御信号に変換する手段と、色制御信号に応じて、携帯用電子装置の外装部の少なくとも一部から着色光を発するため、少なくとも１つの発光デバイスを制御する手段とを含む、外装を有する携帯用電子装置が提供される。
【０００７】
本発明の別に実施形態によれば、携帯用電子装置のディスプレイに第１の画像を表示する工程と、画像に依存する主要な色値を決定する工程と、主要な色値を色制御信号に変換する工程と、色制御信号を用いて、装置の少なくとも一部から着色光を発するため、少なくとも１つの発光デバイスを制御する工程とを含む、携帯用電子装置の外観を制御する方法が提供される。
【０００８】
本発明の別の実施形態によれば、ディスプレイと、ディスプレイとは異なる少なくとも１つの発光デバイスと、無線携帯電話の外装の少なくとも一部から主要な色の光を発することによってユーザに着信を知らせる手段と、ユーザが主要な色を変更することを可能とする手段とを含む、外装を有する無線携帯電話が提供される。
【０００９】
本発明の別の実施形態によれば、ディスプレイと、ディスプレイとは異なる少なくとも１つの発光デバイスと、主要な色値を入力するためのユーザ入力デバイスと、主要な色値を色制御信号に変換する手段と、色制御信号を用いて、携帯用電子装置の外装部の少なくとも一部から着色光を発するため、少なくとも１つの発光デバイスを制御する手段とを含む、外装を有する携帯用電子装置が提供される。
【００１０】
本発明の別の実施形態によれば、ユーザが色値を入力する工程と、装置の少なくとも一部から入力された色値に対応する着色光を発するため、装置が色値を色制御信号に変換して、いかなるディスプレイとは異なる少なくとも1つの発光デバイスを色制御信号を用いて制御する工程とを含む、携帯用電子装置の外観を制御する方法が提供される。
【００１１】
本発明をよりよく理解し、本発明がどのように効果がもたらされるのかを理解するため、添付の図面のみを例として参照する。
【発明を実施するための最良の形態】
【００１２】
図１Ａは、ディスプレイ１４、および本例ではキーパッドであるユーザ入力デバイス１６を備え、外部１２を有する携帯用電子装置１０を示している。ディスプレイ１４およびキーパッド１６は、装置１０の本体１８の前面１７の開口部を通して接触できる。キーパッド１６は、一対のＲＧＢ発光ダイオード（ＬＥＤ）デバイス２０（図１Ａに図示せず）によって、本体１８の内部から照明される。
【００１３】
図１Ｂは、本体１８の内部側から見た前面１７の裏面を示している。
【００１４】
前面１７は、ディスプレイ開口部１５およびキー開口部１７を有する。半透明キーマット１９は、キー開口部１７を覆うように配置され、部分的にこの開口部から突出して、キーパッド１６を形成している。ＲＧＢ  ＬＥＤはキーマット１９に隣接して配置されている。本体１８の内側のＲＧＢ  ＬＥＤ２０から光を向けるため、光ガイド（図示せず）を使用してもよい。この例では、ＲＧＢ  ＬＥＤデバイス１０が作動している際に、これらから作られた光がキーパッド１６を介して発せられ、装置の外装部を照明する。
【００１５】
他の実施形態において、本体１８の全体または一部が半透明であってよく、本体内部のＲＧＢ  ＬＥＤデバイスによって作られる光は、本体の半透明部分を介して発せられ、これによって、装置１０の外装部の一部または外装部の複数の部分を照明してもよい。
【００１６】
図２は、装置１０の機能要素を示した図である。装置１０は、ディスプレイ１４、ユーザ入力デバイス１６、プロセッサ２２、およびメモリ２４を備えている。プロセッサ２２は、メモリ２４に対して読み出しおよび書き込みを行なうようメモリ２４に接続され、ディスプレイ１４に制御信号を供給するためディスプレイ１４に接続され、ユーザ入力デバイス１６からの制御信号を受信するためユーザ入力デバイス１６に接続されている。また、装置１０は、プロセッサ２２により照明制御信号３１を介して制御される、ＲＧＢ  ＬＥＤデバイス２０を含む照明回路３０も備えている。照明回路３０の詳細は、図３に示される。これは、装置１０の外装部を照明するが、必ずしもディスプレイ１４を照明しなくてもよい。記載された例においては、後方から半透明キーパッド１６を照明するために用いられている。
【００１７】
照明回路は、２つのＲＧＢ  ＬＥＤデバイス２０を備えている。各ＲＧＢ  ＬＥＤデバイスには、赤色ＬＥＤ３２、緑色ＬＥＤ３４、および青色ＬＥＤ３６が含まれる。ＲＧＢ  ＬＥＤデバイス２０の赤色ＬＥＤ３２は、直列に接続されている。これらを流れる電流は、本実施例においてはバイポーラ・トランジスタである第１の電流制御デバイス４１によって制御される。ＲＧＢ  ＬＥＤデバイスの緑色ＬＥＤ３４は、直列に接続されている。これらを流れる電流は、本実施例においてはバイポーラ・トランジスタである第２の電流制御デバイス４２によって制御される。ＲＧＢ  ＬＥＤデバイスの青色ＬＥＤ３６は、直列に接続されている。これらを流れる電流は、本実施例においてはバイポーラ・トランジスタである第３の電流制御デバイス４３によって制御される。
【００１８】
プロセッサ２２からの制御信号３１は、３つの異なる制御信号から構成される。これらの制御信号の１つである赤色制御信号５１は、第１の電流制御デバイス４１の制御に用いられる。赤色制御信号５１は、直列接続された抵抗Ｒ１と抵抗Ｒ２とによって分割され、この分割された信号はトランジスタ４１のベースに供給される。これらの制御信号の１つである緑色制御信号５２は、第２の電流制御デバイス４２の制御に用いられる。緑色制御信号５２は、直列接続された抵抗Ｒ３と抵抗Ｒ４とによって分割され、この分割された信号はトランジスタ４２のベースに供給される。これらの制御信号の１つである青色制御信号５３は、第３の電流制御デバイス４３の制御に用いられる。青色制御信号５３は、直列接続された抵抗Ｒ５と抵抗Ｒ６とによって分割され、この分割された信号はトランジスタ４３のベースに供給される。
【００１９】
プロセッサ２２は、ディスプレイ１４に表示された画像を制御する。一般的に、このディスプレイはピクセルクラスタのＮｘＭアレイを含み、各ピクセルクラスタには、赤色ピクセル、緑色ピクセル、および青色ピクセルが含まれる。特定のピクセルクラスタ（ｎ，ｍ）によって作られる色は、赤色ピクセルの強度、緑色ピクセルの強度、および青色ピクセルの強度によって決定される。これらの強度は、ベクタ（Ｒ，Ｇ，Ｂ）nmとして表すことができる。ディスプレイに表示された画像は、このようなベクタのＮｘＭアレイによって定義され、プロセッサ２２はこのアレイをピクセル制御データとしてディスプレイ１４へ提供する。
【００２０】
ディスプレイ１４に表示された画像は、テキストなどの情報が前景として背景上に示されるような背景画像であってもよい。通常、このような背景画像は、装置１０のユーザが選択できるようになっている。
【００２１】
プロセッサ２２は、ディスプレイ１４に表示された画像に依存する主要な色値（ｆｉｒｓｔ  ｃｏｌｏｒ  ｖａｌｕｅ）を決定することができ、これによって、照明回路３０を制御し、装置１０の外装部を、主要な色値に依存する色で照明させる。このプロセッサは、例えば、ディスプレイ１４に表示された画像が変わった、あるいは、ディスプレイの背景画像がユーザによって変更された場合などに、自動的に新しい主要な色値を決定することもできる。
【００２２】
第１の実施形態によれば、プロセッサ２２は、ピクセル制御データを処理し、ディスプレイ中の際立つ色を識別する。そして、主要な色値は、この際立つ色または、それに同等の色を正確に再現しようとする値（Ｒ１，Ｇ１，Ｂ１）に設定されることもできる。あるいは、主要な色値は、この際立つ色と対照的な色を正確に再現しようとする値（Ｒ１，Ｇ１，Ｂ１）に設定されることもできる。
【００２３】
この際立つ色は、例えば、ディスプレイに表示された画像の中で優勢な色、または表示された画像の一部の中で優勢な色であってもよい。また、あるいは、表示された画像の中で特に鮮明な色であってもよい。通常、この際立つ色の決定にはアルゴリズムを使用してもよい。
【００２４】
１つのアルゴリズムでは、１つの参照用の色を、色のスペクトルの中で近い複数の色の中からいずれか１つと関連づける。それぞれの参照用の色ｃiが関連するベクタ（Ｒi，Ｇi，Ｂi）を有する場合、ピクセルの色ベクタ（Ｒ，Ｇ，Ｂ）nmが以下のようなとき、そのピクセルはその参照用の色に関連づけられる。
Ri, - r < Rnm < Ri + r &
Gi, - g < Gnm < Gi + g &
Bi - b < Bnm < Bi + b
【００２５】
Ｃiに関連づけられた最も多数のピクセルを有するＣiが優勢色であり、そのベクタが（Ｒ１，Ｇ１，Ｂ１）と等しくセットされる。
【００２６】
そして、プロセッサは、決定された主要な色値（Ｒ１，Ｇ１，Ｂ１）を照明制御信号３１に変換する。
【００２７】
次に、プロセッサ２２は赤色照明値（Ｒ１）を、メモリ２４に格納された赤色較正データを用いて、赤色制御信号５１に変換する。プロセッサ２２は、この赤色較正データを用いて、赤色ＬＥＤ３２からの赤色光に必要となる強度を作るために赤色制御信号５１によって供給される必要のある電圧を決定する。この例において、赤色較正データは、赤色ＬＥＤ３２の特性、Ｒ１およびＲ２の値、および第１の電流制御デバイス４１の特性に依存する。また、プロセッサ２２は緑色照明値をメモリ２４に格納された緑色較正データを用いて、緑色制御信号５２に変換する。プロセッサ２２は、この緑色較正データを用いて、緑色ＬＥＤ３４からの緑色光に必要となる強度を作るために緑色制御信号５２によって供給される必要のある電圧を決定する。この例において、緑色較正データは、緑色ＬＥＤ３４の特性、Ｒ３およびＲ４の値、および第２の電流制御デバイス４２の特性に依存する。また、プロセッサは青色照明値をメモリ２４に格納された青色較正データを用いて、青色制御信号５３に変換する。プロセッサ２２は、この青色較正データを用いて、青色ＬＥＤ３６からの青色光に必要となる強度を作るために青色制御信号５２によって供給される必要のある電圧を決定する。この例において、青色較正データは、青色ＬＥＤ３６の特性、Ｒ５およびＲ６の値、および第２の電流制御デバイス４３の特性に依存する。
【００２８】
プロセッサ２２は、ディスプレイ１４が使用されている際はいつでも照明回路３０に自動的に照明制御信号３１を供給してもよい。あるいは、プロセッサ２２は、照明回路３０に照明制御信号３１を選択的に供給してもよい。例えば、装置１０の状態が変化した場合などに、プロセッサ２２は照明制御信号３１を供給してもよい。装置１０が、無線携帯電話の場合、このような状態の変化は、例えば、着信があった場合、目覚まし時計などのアラームが作動した場合、または、装置がスリープ・モードから復帰した場合などに起こり得る。
【００２９】
上記段落では、照明回路からの出力がディスプレイ１４に表示された画像に依存してどのように行なわれるのかを説明したが、代わりに、照明回路３０の出力が、ユーザ入力デバイス１６用いてユーザにより入力され、メモリ２４に保存された色値に従うモードを提供することもできる。必要であれば、ユーザはこの保存された色値をアップデートすることもできる。
【００３０】
上記段落では、どのようにユーザがディスプレイ用の画像を選択し、携帯用電子装置がＬＥＤによって作られる色を決定するかを述べた。ユーザがＬＥＤによって作られる色を選択することも可能であり、携帯用電子装置が表示される画像を決定することもできよう。これは、例えば、選択された色に合う特定の背景画像を携帯用電子装置が選択するなどである。
【００３１】
本発明の実施形態が上記段落において様々な例を参照して説明されてきたが、これら示された例への変更は、本発明の精神および範囲を逸脱することなく行ない得ることは理解されよう。
【図面の簡単な説明】
【００３２】
【図１Ａ】携帯用電子装置１０の外装を示す図である。
【図１Ｂ】携帯用電子装置１０の内部を示す図である。
【図２】携帯用装置１０の機能要素を示す図である。
【図３】照明回路を示す図である。
【図１Ａ】
2008501270.tif 000003
【図１Ｂ】
2008501270.tif 000004
【図２】
2008501270.tif 000005
【図３】
2008501270.tif 000006
【手続補正書】
【提出日】平成18年11月30日(2006.11.30)
【手続補正１】
【補正対象書類名】特許請求の範囲
【補正対象項目名】全文
【補正方法】変更
【補正の内容】
【特許請求の範囲】
【請求項１】
外装を有する携帯用電子装置であって、
ディスプレイと、
前記ディスプレイとは異なる少なくとも１つの発光デバイスと、
前記ディスプレイ上の画像の表示を制御する手段と、
前記画像に依存する第１の色値を決定する手段と、
前記第１の色値を色制御信号に変換する手段と、
前記色制御信号に応じて、前記携帯用電子装置の前記外装部の少なくとも一部から着色光を発するため、前記少なくとも１つの発光デバイスを制御する手段と、
を含む携帯用電子装置。
【請求項２】
前記ディスプレイが複数のピクセルを含み、前記ディスプレイ上の画像の表示を制御する前記手段が複数のピクセルの各々について色を指定するピクセル制御データを使用し、前記第１の色値を決定する手段が前記ピクセル制御データを処理する、請求項１に記載の携帯用電子装置。
【請求項３】
前記画像が際立つ色を含み、前記第１の色値が前記際立つ色を識別する、請求項１に記載の携帯用電子装置。
【請求項４】
前記際立つ色が優勢色である、請求項３に記載の携帯用電子装置。
【請求項５】
前記画像に優勢色を含み、前記第１の色値が前記優勢色と対照的である色を識別する、請求項１に記載の携帯用電子装置。
【請求項６】
前記画像が前記ディスプレイ用の背景である、請求項１に記載の携帯用電子装置。
【請求項７】
前記画像がユーザにより選択可能な、請求項１に記載の携帯用電子装置。
【請求項８】
前記決定された第１の色値を色制御信号に変換するための前記手段が、前記決定された色値を赤色制御信号、緑色制御信号、および青色制御信号に変換する、請求項１に記載の携帯用電子装置。
【請求項９】
第１の色値の前記赤色制御信号への前記変換が、赤色光の発光に使用される前記発光デバイスの特性に依存し、第１の色値の前記緑色制御信号への前記変換が、緑色光の発光に使用される前記発光デバイスの特性に依存し、第１の色値の前記青色制御信号への前記変換が、青色光の発光に使用される前記発光デバイスの特性に依存する、請求項８に記載の携帯用電子装置。
【請求項１０】
前記決定された第１の色値を色制御信号に変換するための前記手段が、前記少なくとも１つの発光デバイスに依存した較正データを使用する、請求項１に記載の携帯用電子装置。
【請求項１１】
前記少なくとも１つの発光デバイスを制御する前記手段が、前記携帯用電子装置の状態が変化した時に、前記少なくとも１つの発光デバイスへ前記色制御信号を提供する、請求項１に記載の携帯用電子装置。
【請求項１２】
前記携帯用電子装置が、着信しても呼び出しに応じない場合に変化する状態を有する無線携帯電話である、請求項１１に記載の携帯用電子装置。
【請求項１３】
照明される前記携帯用電子装置の前記外装の前記一部が、キーパッドを備える、請求項１に記載の携帯用電子装置。
【請求項１４】
前記少なくとも１つの発光デバイスが、赤色ＬＥＤ、緑色ＬＥＤ、および青色ＬＥＤを含んだＲＧＢ  ＬＥＤデバイスを備える、請求項１に記載の携帯用電子装置。
【請求項１５】
直列に接続された複数のＬＥＤ、および前記直列に接続された複数のＬＥＤを介して電流を制御する電流制御デバイスを備えた、請求項１に記載の携帯用電子装置。
【請求項１６】
携帯電話として動作可能な、請求項１に記載の携帯用電子装置。
【請求項１７】
携帯用電子装置の外観を制御する方法であって、
前記携帯用電子装置のディスプレイに第１の画像を表示する工程と、
前記画像に依存する第１の色値を決定する工程と、
前記第１の色値を色制御信号に変換する工程と、
前記色制御信号を用いて、前記装置の少なくとも一部から着色光を発するため、ディスプレイとは異なる少なくとも１つの発光デバイスを制御する工程と、
を含む方法。
【請求項１８】
外装を有する無線携帯電話であって、
ディスプレイと、
前記ディスプレイとは異なる少なくとも１つの発光デバイスと、
前記発光デバイスを使用し、また第１の画像を用いて前記ディスプレイを照明することにより、前記無線携帯電話の前記外装の少なくとも一部から第１の色の光を発することによってユーザに着信を知らせる手段と、
前記第１の画像を変更することによりユーザが前記第１の色を変更することを可能とする手段と、
を含む無線携帯電話。
【請求項１９】
前記ユーザが前記第１の色を選択する、請求項１８に記載の無線携帯電話。
【請求項２０】
外装を有する携帯用電子装置であって、
画像を表示するためのディスプレイと、
前記ディスプレイとは異なる少なくとも１つの発光デバイスと、
第１の色値を入力するためのユーザ入力デバイスと、
前記第１の色値を色制御信号に変換する手段と、
前記色制御信号を用いて、前記携帯用電子装置の前記外装部の少なくとも一部から着色光を発するため、前記少なくとも１つの発光デバイスを制御する手段と、
前記第１の色値に基づいて前記ディスプレイに表示される前記画像を決定する手段と、
を含む携帯用電子装置。
【請求項２１】
表示される前記画像を決定する前記手段が、前記第１の色値と一致する際立つ色を有する表示用の画像を識別する、請求項２０に記載の携帯用電子装置。
【請求項２２】
携帯用電子装置の外観を制御する方法であって、
ユーザが色値を入力する工程と、
前記装置の少なくとも一部から前記入力された色値に対応する着色光を発するため、前記装置が前記色値を色制御信号に変換して、いかなるディスプレイとは異なる少なくとも１つの発光デバイスを前記色制御信号を用いて制御する工程と、
前記装置が前記ディスプレイを制御して、前記色値に基づいて画像を表示させる工程と、
を含む方法。
【手続補正２】
【補正対象書類名】明細書
【補正対象項目名】０００７
【補正方法】変更
【補正の内容】
【０００７】
本発明の別に実施形態によれば、携帯用電子装置のディスプレイに第１の画像を表示する工程と、画像に依存する第１の色値を決定する工程と、第１の色値を色制御信号に変換する工程と、色制御信号を用いて、装置の少なくとも一部から着色光を発するため、ディスプレイとは異なる少なくとも１つの発光デバイスを制御する工程とを含む、携帯用電子装置の外観を制御する方法が提供される。
【手続補正３】
【補正対象書類名】明細書
【補正対象項目名】０００８
【補正方法】変更
【補正の内容】
【０００８】
本発明の別の実施形態によれば、ディスプレイと、ディスプレイとは異なる少なくとも１つの発光デバイスと、発光デバイスを使用し、また第１の画像を用いてディスプレイを照明することにより、無線携帯電話の外装の少なくとも一部から第１の色の光を発することによってユーザに着信を知らせる手段と、第１の画像を変更することによりユーザが第１の色を変更することを可能とする手段とを含む、外装を有する無線携帯電話が提供される。
【手続補正４】
【補正対象書類名】明細書
【補正対象項目名】０００９
【補正方法】変更
【補正の内容】
【０００９】
本発明の別の実施形態によれば、画像を表示するためのディスプレイと、ディスプレイとは異なる少なくとも１つの発光デバイスと、第１の色値を入力するためのユーザ入力デバイスと、第１の色値を色制御信号に変換する手段と、色制御信号を用いて、携帯用電子装置の外装部の少なくとも一部から着色光を発するため、少なくとも１つの発光デバイスを制御する手段と、第１の色値に基づいて前記ディスプレイに表示される画像を決定する手段とを含む、外装を有する携帯用電子装置が提供される。
【手続補正５】
【補正対象書類名】明細書
【補正対象項目名】００１０
【補正方法】変更
【補正の内容】
【００１０】
本発明の別の実施形態によれば、ユーザが色値を入力する工程と、装置の少なくとも一部から入力された色値に対応する着色光を発するため、装置が色値を色制御信号に変換して、いかなるディスプレイとは異なる少なくとも1つの発光デバイスを色制御信号を用いて制御する工程と、装置がディスプレイを制御して、色値に基づいて画像を表示させる工程とを含む、携帯用電子装置の外観を制御する方法が提供される。
【国際調査報告】
2008501270.tif 000007
2008501270.tif 000008
2008501270.tif 000009
2008501270.tif 000010